(57)【特許請求の範囲】
【請求項１】
器具本体と、この器具本体に設けられソケット取付面にソケット取付溝を有するソケット取付台と、このソケット取付台に取り付けられる両側に溝部を有するランプソケットとを具備し、
前記ソケット取付台は、
前記ソケット取付溝の両側縁に前記ランプソケットの溝部が係合する係合縁部と；
ランプソケットの溝部の上側面に接触する幅方向に円弧状に形成された先端と、ランプソケットの溝部の下側面に接触する中央折曲部とを有し、係合縁部にソケット挿入方向の入口側から奥側に向けてソケット取付面より突出するように斜めに切り起こされるとともに中央折曲部でソケット取付面へ向けて斜めに折曲するほぼくの字状に形成された係合片部と；
係合溝部の係合片部よりソケット挿入方向の奥側にソケット取付面からランプソケットの溝部の下面側に接触するようにほぼＶ字状に突出する突出部と；
を備えることを特徴とする照明器具。
【請求項２】
器具本体と、この器具本体に設けられソケット取付面にソケット取付溝を有するソケット取付台と、このソケット取付台に取り付けられる両側に溝部を有するランプソケットとを具備し、
前記ソケット取付台は、
前記ソケット取付溝の両側縁に前記ランプソケットの溝部が係合する係合縁部と；
ランプソケットの溝部の上側面に接触する先端と、この先端からソケット挿入方向の奥側に向けてソケット取付面より突出するように斜めに折曲形成された先端部と、ランプソケットの溝部の下側面に接触する中央折曲部とを有し、係合縁部にソケット挿入方向の入口側から奥側に向けてソケット取付面より突出するように斜めに切り起こされるとともに中央折曲部でソケット取付面へ向けて斜めに折曲するほぼくの字状に形成された係合片部と；
係合溝部の係合片部よりソケット挿入方向の奥側にソケット取付面からランプソケットの溝部の下面側に接触するようにほぼＶ字状に突出する突出部と；
を備えることを特徴とする照明器具。
【発明の詳細な説明】
【０００１】
【発明の属する技術分野】
本発明は、器具本体のソケット取付台にランプソケットを取り付けた照明器具に関する。
【０００２】
【従来の技術】
従来の照明器具としては、例えば、図６に照明器具の一部の斜視図を示すように、直管形蛍光ランプを使用する１灯用の照明器具がある。
【０００３】
この照明器具は、器具本体１を備え、この器具本体１の両端にソケット取付台２が取り付けられ、このソケット取付台２にランプソケット３が取り付けられる。
【０００４】
ソケット取付台２は、下面にソケット取付面４を有し、このソケット取付面４にランプソケット３を嵌合して取り付けるソケット取付溝５が形成され、このソケット取付溝５の両側縁部にランプソケット３の両側に形成された溝部3aが係合される係合縁部６が形成されている。
【０００５】
両係合縁部６には、ソケット取付溝５の入口側（開口側）に突出部７がソケット取付面４から突出されて形成されているとともに、奥側に切起片８がソケット取付面４から切り起こし形成されている。係合縁部６の板厚を含めた突出部７の突出幅はランプソケット３の溝部3aの幅よりも小さく形成されている。切起片８はソケット取付溝５の奥側から斜めに切り起こされ、係合縁部６の板厚を含めた切起片８の突出幅はランプソケット３の溝部3aよりも大きく形成されている。
【０００６】
そして、ランプソケット３の組み立ては、ランプソケット３の両側の溝部3aをソケット取付台２の両係合縁部６に嵌め込みながら、ランプソケット３をソケット取付溝５に挿入することにより、図７に示すように、ランプソケット３をソケット取付台２に取り付ける。この取付状態では、切起片８の先端が溝部3aの内面に弾性的に接触して、ソケット取付台２に対するランプソケット３の保持力を得ている。また、突出部７はソケット取付台２に対するランプソケット３の上下方向の動きを抑制している。
【０００７】
【発明が解決しようとする課題】
しかしながら、従来の技術では、ランプソケット３の溝部3aの内面に弾性的に接触する切起片８はランプソケット３に対して斜め方向に弾性力を作用させるため、ソケット取付台２のソケット取付面４に垂直な仮想線Ｚに対してランプソケット３が内方（図７中矢印方向）へ向けて前傾した状態に、ランプソケット３が取り付けられる。そのため、器具本体１の両端のランプソケット３の対向間隔で決められるソケット間隔を、直管形蛍光ランプの長さにあった適正な値に保持できず、直管形蛍光ランプの取り付けに困難をきたしやすい問題がある。
【０００８】
また、取付後のランプソケット３に直管形蛍光ランプ９を差し込んで支持させるとき、直管形蛍光ランプ９の差し込みに伴って作用する力により、図８に示すように、前記仮想線Ｚに対してランプソケット３が外方（図８中矢印方向）へ向けて後傾されるのに伴って、切起片８にへたりが生じやすい。切起片８にへたりが生じると、切起片８によるランプソケット３の保持力が低下するため、ランプ交換時に接続されている直管形蛍光ランプ９を外す際、この直管形蛍光ランプ９と一緒にランプソケット３が引き摺られて位置ずれし、ソケット間隔を適正に保てず、直管形蛍光ランプ９の取り付けが困難になる問題がある。
【０００９】
このように、従来の技術では、ソケット取付台２の係合縁部６から斜めに切り起こされた切起片８でランプソケット３を保持するため、ランプソケット３がソケット取付面４に対して前傾や後傾し、ソケット間隔を適正に保てない問題がある。
【００１０】
本発明は、このような点に鑑みなされたもので、ソケット取付台のソケット取付面に対してランプソケットが傾斜することなくそのランプソケットを保持することができ、ソケット間隔を適正に保つことができる照明器具を提供することを目的とする。
【００１１】
【課題を解決するための手段】
請求項１記載の照明器具は、器具本体と、この器具本体に設けられソケット取付面にソケット取付溝を有するソケット取付台と、このソケット取付台に取り付けられる両側に溝部を有するランプソケットとを具備し、前記ソケット取付台は、前記ソケット取付溝の両側縁に前記ランプソケットの溝部が係合する係合縁部と；ランプソケットの溝部の上側面に接触する幅方向に円弧状に形成された先端と、ランプソケットの溝部の下側面に接触する中央折曲部とを有し、係合縁部にソケット挿入方向の入口側から奥側に向けてソケット取付面より突出するように斜めに切り起こされるとともに中央折曲部でソケット取付面へ向けて斜めに折曲するほぼくの字状に形成された係合片部と；係合溝部の係合片部よりソケット挿入方向の奥側にソケット取付面からランプソケットの溝部の下面側に接触するようにほぼＶ字状に突出する突出部と；を備えるものである。そして、係合縁部にソケット挿入方向の入口側から奥側に向けてほぼくの字状の係合片部を形成したため、ソケット取付面に対してほぼ垂直方向に弾性力を作用させることができ、ソケット取付面に対してランプソケットが傾斜することなくそのランプソケットを保持することができ、ソケット間隔を適正に保つことができる。さらに、係合片部の先端を幅方向に円弧状に形成したことにより、ランプソケットを取り外す場合に引っ掛からずに取り外しやすくできる。また、係合縁部の係合片部よりソケット挿入方向の奥側にソケット取付面からランプソケットの溝部の下面側に接触するようにほぼＶ字状に突出する突出部を形成したため、係合片部とともにソケット取付面に対してランプソケットが傾斜するのを抑制できる。
【００１２】
請求項２記載の照明器具は、器具本体と、この器具本体に設けられソケット取付面にソケット取付溝を有するソケット取付台と、このソケット取付台に取り付けられる両側に溝部を有するランプソケットとを具備し、前記ソケット取付台は、前記ソケット取付溝の両側縁に前記ランプソケットの溝部が係合する係合縁部と；ランプソケットの溝部の上側面に接触する先端と、この先端からソケット挿入方向の奥側に向けてソケット取付面より突出するように斜めに折曲形成された先端部と、ランプソケットの溝部の下側面に接触する中央折曲部とを有し、係合縁部にソケット挿入方向の入口側から奥側に向けてソケット取付面より突出するように斜めに切り起こされるとともに中央折曲部でソケット取付面へ向けて斜めに折曲するほぼくの字状に形成された係合片部と；係合溝部の係合片部よりソケット挿入方向の奥側にソケット取付面からランプソケットの溝部の下面側に接触するようにほぼＶ字状に突出する突出部と；を備えるものである。そして、係合縁部にソケット挿入方向の入口側から奥側に向けてほぼくの字状の係合片部を形成したため、ソケット取付面に対してほぼ垂直方向に弾性力を作用させることができ、ソケット取付面に対してランプソケットが傾斜することなくそのランプソケットを保持することができ、ソケット間隔を適正に保つことができる。さらに、係合片部の先端部を折曲形成したことにより、ランプソケットを取り外す場合に引っ掛からずに取り外しやすくできる。また、係合縁部の係合片部よりソケット挿入方向の奥側にソケット取付面からランプソケットの溝部の下面側に接触するようにほぼＶ字状に突出する突出部を形成したため、係合片部とともにソケット取付面に対してランプソケットが傾斜するのを抑制できる。
【００１３】
【発明の実施の形態】
以下、本発明の照明器具の実施の形態を図面を参照して説明する。
【００１４】
図１ないし図３は第１の実施の形態を示す。
【００１５】
図３は直管形蛍光ランプＬを使用する１灯用の照明器具の分解状態の斜視図を示し、11は器具本体で、この器具本体11の両端にはランプソケット12を支持するソケット取付台13が取り付けられ、器具本体11の中央付近には取付金具14および点灯装置15など取り付けられている。
【００１６】
16は反射体で、この反射体16は、ソケット取付台13に螺合される取付ねじ17a および取付金具14に螺合される取付ねじ17b によって、器具本体11を覆う状態で器具本体11に取り付けられる。反射体16の両端にはランプソケット12が突出するソケット挿通孔18が形成されている。
【００１７】
図１は器具本体11の一端側の一部の斜視図を示し、器具本体11は、取付板21およびこの取付板21の両側から折曲された側板22を有する断面ほぼコ字状に形成されている。各側板22の両端近傍には、ソケット取付台13の取付用として一対の係止孔23およびこの両係止孔23間に図示しない挿通孔がそれぞれ形成されている。
【００１８】
ランプソケット12は、ソケット本体25を有し、このソケット本体25の一端面には一対のランプピン差込孔26を有するランプ接続部27が形成され、ソケット本体25の上側の基部両側縁にはソケット取付台13に取り付けられる溝部28が両端面に貫通して形成されている。
【００１９】
ソケット取付台13は、取付板31およびこの取付板31の両側から折曲された側板32を有する断面ほぼコ字状に形成され、両側板32が器具本体11の両側板22の内側に接合されて取付ねじ33で取り付けられている。両側板32の器具本体11と接合する上縁部には、側板22の各係止孔23に係合する一対の切起片34が切り起こし形成されているとともに、側板22の挿通孔を通じて取付ねじ33が螺合される取付孔35が形成されている。
【００２０】
ソケット取付台13の中央付近には、取付板31から両側板32にかけて、開口部36が形成されている。この開口部36より外端側の取付板31の表面にはソケット取付面37が形成され、開口部36より内端側の取付板31の表面には反射体取付面38が形成されている。
【００２１】
ソケット取付面37には開口部36に連通してソケット取付溝41が形成され、このソケット取付溝41の両側縁部にランプソケット12の両側縁の溝部28が係合される係合縁部42が形成されている。各係合縁部42には、ソケット挿入方向の入口側（開口部36側）近傍に係合片部43が形成されているとともに、奥側に突出部44が形成されている。
【００２２】
係合片部43は、ソケット挿入方向の入口側から奥側に向けてソケット取付面37より突出するように斜めに切り起こされるとともにその中間部でソケット取付面37へ向けて斜めに折曲されたほぼくの字状（ほぼへの字状）に形成され、先端には溝部28の上側面28a に接触する接触部45が形成され、中央折曲部には溝部28の下側面28b に接触する接触部46が形成されている。先端の接触部45は幅方向に円弧状に形成されている。
【００２３】
突出部44は、ソケット挿入方向の奥側から入口側に向けてソケット取付面37よりほぼＶ字状に突出形成されている。
【００２４】
反射体取付面38には、取付ねじ17a が螺合する取付孔47が形成されている。
【００２５】
次に、第１の実施の形態の作用について説明する。
【００２６】
ランプソケット12をソケット取付台13に取り付けるには、まず、図２(a) に示すように、ランプソケット12の両側縁の溝部28をソケット取付台13の両係合縁部42に嵌め込みながら、ランプソケット12をソケット取付溝41に挿入する。
【００２７】
ランプソケット12をソケット取付溝41に挿入していくと、図２(b) に示すように、ランプソケット12の溝部28の下側面28b に係合片部43の中間部の接触部46が接触して上方へ弾性変形されるとともに、溝部28の上側面28a に係合片部43の先端の接触部45が接触して先端側が下方へ弾性変形され、溝部28内に係合片部43が入り込む。
【００２８】
さらに、ランプソケット12をソケット取付溝41に挿入していくと、図２(c) に示すように、ランプソケット12の溝部28内に突出部44が入り込む。ランプソケット12の外端面がソケット取付溝41の奥側の縁部に当接することにより、挿入が規制されて、ランプソケット12の取付状態となる。
【００２９】
図２(c) に示すランプソケット12の取付状態では、係合片部43の弾性によってランプソケット12を下方へ押圧するとともに、突出部44によってランプソケット12の上下方向の動きを抑制している。したがって、ランプソケット12の溝部28の上側面28a に、係合縁部42の入口側の上面の接触点ａ、係合片部43の接触部45の接触点ｂ、係合縁部42の奥側の上面の接触点ｃがそれぞれ接触し、かつ、溝部28の下側面28b に、係合片部43の接触部46の接触点ｄ、突出部44の接触点ｅがそれぞれ接触する。そのため、ランプソケット12の溝部28にソケット取付台13側が接触点ａ〜ｅの多点で接触し、ランプソケット12がソケット取付台13に強固に保持される。
【００３０】
しかも、係合片部43は、ランプソケット12の溝部28の上側面28a に両端の接触点ａ，ｂが接触するとともに溝部28の下側面28b に中間部の接触点ｄが接触する３点接触構造であるため、ソケット取付面37に対してほぼ垂直方向に弾性力を作用させることができる。そのため、係合片部43の弾性力により、ランプソケット12をソケット取付面37にほぼ垂直な下方へ押圧し、ランプソケット12をソケット取付面37に対して垂直に取り付けられる。これにより、器具本体11の両端に取り付けられるランプソケット12のソケット間隔を適正に保つことができ、直管形蛍光ランプＬの取付操作を良好にできる。
【００３１】
また、係合縁部42のソケット挿入方向の入口側に係合片部43を設けるとともに奥側に突出部44を設けることにより、直管形蛍光ランプＬをランプソケット12に差し込んで接続する場合に、ランプソケット12が後傾するのを防止できる。これにより、器具本体11の両端に取り付けられるランプソケット12のソケット間隔を適正に保つことができ、直管形蛍光ランプＬの取付操作を良好にできる。
【００３２】
また、係合片部43の先端の接触部45をエッジ部分がないように幅方向に円弧状に形成しているため、ランプソケット12をソケット取付台13から取り外す場合に、係合片部43の接触部45でランプソケット12の溝部28を削ることがないとともに、引っ掛からずに取り外しやすくできる。
【００３３】
次に、図４および図５は第２の実施の形態を示す。
【００３４】
この第２の実施の形態では、係合片部43の先端の接触部45からソケット挿入方向の奥側に向けてソケット取付面37より突出するように斜めに先端部48が折曲形成されている。
【００３５】
そして、図５(a)(b)(c) の順にランプソケット12をソケット取付台13に取り付ける。図５(c) に示す取付状態では、先端部48と溝部28の下側面28b との間に隙間が生じて接触しない。
【００３６】
この第２の実施の形態では、係合片部43の接触部45が折曲部分であるため、エッジ部分がなく、ランプソケット12をソケット取付台13から取り外す場合に、係合片部43の接触部45でランプソケット12の溝部28を削ることがないとともに、引っ掛からずに取り外しやすくできる。
【００３７】
なお、前記各実施の形態では突出部44を係合片部43よりもソケット挿入方向の奥側（後方位置）に設けているが、突出部44を入口側と奥側の両方に設けてもよい。そして、突出部44を入口側と奥側の両方に設けた場合には、ソケット取付台13に対してランプソケット12をより強固に取り付けることができる。
【００３８】
【発明の効果】
請求項１記載の照明器具によれば、係合縁部にソケット挿入方向の入口側から奥側に向けてほぼくの字状の係合片部を形成したため、ソケット取付面に対してほぼ垂直方向に弾性力を作用させることができ、ソケット取付面に対してランプソケットが傾斜することなくそのランプソケットを保持することができ、ソケット間隔を適正に保つことができる。さらに、この係合片部の先端を幅方向に円弧状に形成したことにより、ランプソケットを取り外す場合に引っ掛からずに取り外しやすくできる。また、係合縁部の係合片部よりソケット挿入方向の奥側にソケット取付面からランプソケットの溝部の下面側に接触するようにほぼＶ字状に突出する突出部を形成したため、係合片部とともにソケット取付面に対してランプソケットが傾斜するのを抑制できる。
【００３９】
請求項２記載の照明器具によれば、係合縁部にソケット挿入方向の入口側から奥側に向けてほぼくの字状の係合片部を形成したため、ソケット取付面に対してほぼ垂直方向に弾性力を作用させることができ、ソケット取付面に対してランプソケットが傾斜することなくそのランプソケットを保持することができ、ソケット間隔を適正に保つことができる。さらに、係合片部の先端部を折曲形成したことにより、ランプソケットを取り外す場合に引っ掛からずに取り外しやすくできる。また、係合縁部の係合片部よりソケット挿入方向の奥側にソケット取付面からランプソケットの溝部の下面側に接触するようにほぼＶ字状に突出する突出部を形成したため、係合片部とともにソケット取付面に対してランプソケットが傾斜するのを抑制できる。
【図面の簡単な説明】
【図１】  本発明の照明器具の第１の実施の形態を示す一部の斜視図である。
【図２】  同上第１の実施の形態のランプソケットの取付過程を(a)(b)(c) の順に示す説明図である。
【図３】  同上第１の実施の形態の照明器具の分解状態の斜視図である。
【図４】  本発明の照明器具の第２の実施の形態を示す一部の斜視図である。
【図５】  同上第２の実施の形態のランプソケットの取付過程を(a)(b)(c) の順に示す説明図である。
【図６】  従来の照明器具の一部の斜視図である。
【図７】  従来のランプソケットの取付状態の説明図である。
【図８】  従来のランプソケットの取付状態の説明図である。
【符号の説明】
11    器具本体
12    ランプソケット
13    ソケット取付台
28    溝部
37    ソケット取付面
41    ソケット取付溝
42    係合縁部
43    係合片部
44    突出部
48 先端部
【図１】
0003861929.tif 000002
【図２】
0003861929.tif 000003
【図３】
0003861929.tif 000004
【図４】
0003861929.tif 000005
【図５】
0003861929.tif 000006
【図６】
0003861929.tif 000007
【図７】
0003861929.tif 000008
【図８】
0003861929.tif 000009